(57)【要約】【課題】流体の流れ方向が、交換バスケット（１００）内でペレット（３０）ベッドが流動化するのを防止する。【解決手段】交換バスケット（１００）は頂部表面部分（１０５）、底部（１１０）、および穴（１２０）を有する少なくとも１つの垂直壁（１１５）を含むことができる。この穴（１２０）は、流体の流れが交換バスケット（１００）内に入ることができるように構成される。ペレット（３０）ベッドの下方のプレナム（１４０）は、流体の流れがペレットベッド（１２５）を貫通して下向き方向に進むのを可能にすることができる。中央パイプ（１４５）を、バスケット（１００）内の流体が交換バスケット（１００）を流れ出ることができるように、交換バスケット（１００）内に設けることができる。【選択図】図３Ｂ
2010078601.tif 000002
【特許請求の範囲】
【請求項１】
バスケット（１００）であって、
上側表面部分（１０５）および下側表面部分（１６０）を有し、前記上側表面部分（１０５）の近くに少なくとも１つの１つの穴（１２０）を有する少なくとも１つの垂直壁（１１５）と、
底部（１１０）であって、前記少なくとも１つの垂直壁（１１５）の前記下側表面部分（１６０）に取り付けられ、前記底部（１１０）と前記少なくとも１つの垂直壁（１１５）が前記バスケット（１００）の内部空間を取り囲む底部と、
前記底部（１１０）の上方の、前記バスケット（１００）の内部空間内の穴の開いた平板（１３０）であって、前記穴の開いた平板（１３０）と前記底部（１１０）がペレットベッド（１２５）から流れ出る流体が中に流れ込むことができるプレナム（１４０）を画成する平板と、
前記バスケット（１００）を貫通して前記プレナム（１４０）から上に延びる中央パイプ（１４５）とを備える、バスケット。
【請求項２】
前記少なくとも１つの垂直壁（１１５）の前記上側表面部分（１０５）がフランジ（１０６）を含む、請求項１記載のバスケット（１００）。
【請求項３】
前記底部（１１０）が平ら、円錐または楕円形の外形を有する、請求項１記載のバスケット（１００）。
【請求項４】
前記中央パイプ（１４５）が、前記中央パイプ（１４５）の頂部のところにフィルタ（１５５）を含む、請求項１記載のバスケット（１００）。
【請求項５】
前記中央パイプ（１４５）が、前記中央パイプ（１４５）の底部のところにフィルタを含む、請求項１記載のバスケット（１００）。
【請求項６】
前記中央パイプ（１４５）を支持するように構成され、前記少なくとも１つの垂直壁（１１５）の内側表面に取り付けられる少なくとも１つの支持ブレース（１５０）をさらに備える、請求項１記載のバスケット（１００）。
【請求項７】
前記中央パイプ（１４５）が上側流れチューブ（１４５ａ）および下側流れチューブ（１４５ｂ）を含む、請求項１記載のバスケット（１００）。
【請求項８】
前記下側流れチューブ（１４５ｂ）を支持するように構成され、前記少なくとも１つの垂直壁（１１５）の内側表面に取り付けられる少なくとも１つの支持ブレース（１５０）をさらに備える、請求項７記載のバスケット（１００）。
【請求項９】
圧力容器（１０）と、
前記圧力容器（１０）の内側に配設されるバスケット（１００）とを備え、前記バスケット（１００）が
上側表面部分（１０５）および下側表面部分（１６０）を有し、前記上側表面部分（１０５）の近くに少なくとも１つの穴（１２０）を含む、少なくとも１つの垂直壁（１１５）、
前記少なくとも１つの垂直壁（１１５）の前記下側表面部分（１６０）に取り付けられる底部（１１０）であって、前記底部（１１０）と前記少なくとも１つの垂直壁（１１５）が前記バスケット（１００）の内側空間を取り囲む底部、
前記底部（１１０）の上方の、かつ前記バスケット（１００）の前記内部空間内の穴の開いた平板（１３０）であって、前記穴の開いた平板（１３０）と前記底部（１１０）が、ペレットベッド（１２５）から流れる流体が流れ込むことができるプレナム（１４０）を画成する平板、および
前記バスケット（１００）を貫通して前記プレナム（１４０）から上に延びる中央パイプ（１４５）
を備えるバスケットとを備える、システム。
【請求項１０】
前記バスケット（１００）の前記中央パイプ（１４５）を封鎖するステップと、
ペレット（１２５）を前記中央パイプ（１４５）の周りに注ぎ、前記内部空間を満たすように前記バスケット（１００）に注ぎ入れるステップとを含む、請求項１記載のバスケット（１００）内にペレット（１２５）を装荷する方法。
【発明の詳細な説明】
【技術分野】
【０００１】
実施形態例は、亜鉛ペレットのベッドを保持するための装置、より詳しくは原子炉給水が通過することができる亜鉛ペレットのベッドを保持するための交換バスケットに関する。実施形態例は、この装置を含むシステムおよびこの装置を亜鉛ペレットで満たす方法にも関する。
【背景技術】
【０００２】
従来型の沸騰水型原子炉では、原子炉配管内の放射能レベルを減少させるために原子炉給水に亜鉛を加える場合がある。多くの従来型沸騰水型原子炉では、亜鉛は亜鉛給水システムによって給水中に導入される。図１は、従来型亜鉛給水システム５の概略図である。この亜鉛給水システム５は、圧力容器１０内に入る配管１５と圧力容器１０から出る配管２０を有する圧力容器１０を一般に含むことができる。この圧力容器は、フランジ１０ｂおよびカバー１２を有する本体１０ａを含むことができる。この亜鉛給水システム５は、亜鉛ペレット３０のベッドを保持するための亜鉛給水バスケット２５も圧力容器１０内に含む。従来型の亜鉛給水バスケット２５は、垂直壁２５ａおよび穴の開いた平板底部２５ｂを含む。この亜鉛給水システム５は、カバー１２を通り圧力容器を出る配管２０に取り付けられる流量制御弁（図示せず）も含む。
【０００３】
図２は、亜鉛給水システムによって給水を流す方法を示す流れ図である。給水は、ステップＳ１で配管１５を通じて圧力容器１０内にポンプ輸送される。この給水は、ステップＳ２でバスケット２５内に支持される穴の開いた底部平板２５ｂおよび亜鉛ペレット３０のベッドを上向きに通過する。給水は、ステップＳ３で亜鉛ペレット３０のベッドを通過し出口配管２０内に入る。給水は、出口配管２０を通って亜鉛給水システムを出ることができる。
【０００４】
亜鉛ペレット３０のベッドを通過する給水の流速が比較的高いとき、ペレットは流動的に移動する傾向にあることが観察されてきている。この流動化によって、ペレットの欠けと、それに引き続き原子炉内へ亜鉛粒子が導入される可能性が増加する。操業の観点からは、これらの粒子に起因して亜鉛が給水内に多量に入り込むことによって、燃料に対して望ましくない給水亜鉛濃縮の予期しない急上昇が引き起こされる可能性がある。
【発明の概要】
【課題を解決するための手段】
【０００５】
実施形態例は、ペレットのベッドを収容することができ、流体がペレットのベッドを下向きの方向に通過できる交換バスケット（下降流バスケット）を提供する。この交換バスケット内の流体流れの方向が下向きなので、この下向きの流れはベッドが流動化するのを防止し、亜鉛ペレットの欠けを最小限にすることができる。実施形態例は、バスケット内にペレットを供給する方法も提供する。実施形態例は、このバスケットを使用するシステムも提供する。
【０００６】
実施形態例によれば、下降流バスケットは、上側表面部分と下側表面部分を有し、上側表面部分近くに少なくとも１つの穴を含む少なくとも１つの垂直壁を含むことができる。実施形態例によるこの下降流バスケットは、少なくとも１つの垂直壁の下側表面部分に取り付けられる剛体の底部も含むことができ、この底部と少なくとも１つの垂直壁はバスケットの内部空間を取り囲む。実施形態例によれば、下降流バスケットは、下降流バスケットの底部の上方の、バスケットの内部空間内に穴の開いた平板も含むことができ、この穴の開いた平板と底部は、ペレットを出る流体が流れ込むことができるプレナムを画成することができる。実施形態例によれば、下降流バスケットは、下降流バスケットを貫通してプレナムから上に延びる中央パイプも含むことができる。
【０００７】
実施形態例によれば、システムは圧力容器および上記で説明した下降流バスケットを含むことができ、この下降流バスケットは圧力容器の内側に配置される。実施形態例によれば、圧力容器は、段付きフランジであってもよい頂部フランジを含むことができる。実施形態例によれば、下降流バスケットの頂部は、段付きフランジの段付き部分と接触するように構成することができる。
【０００８】
実施形態例によれば、ペレットを上記で説明した下降流バスケット内に装荷する方法は、バスケットの中央パイプを閉鎖するステップと、この閉鎖された中央パイプの周りにペレットを注ぎ、バスケットの内部空間を満たすためにバスケット内に入れるステップとを含むことができる。実施形態例によれば、この中央パイプは、工具で閉鎖することができ、この工具はペレットをバスケット内に案内するように構成されるじょうごを含むことができる。
【０００９】
実施形態例は、添付の図面を参照して行われる以下の詳細な説明からより明瞭に理解されるであろう。図３Ａ〜３Ｄ、４Ａ〜４Ｄ、６、および７は、本明細書で説明される非限定の、実施形態例を示す。
【図面の簡単な説明】
【００１０】
【図１】亜鉛ペレットを保持するための従来型流れバスケットを含む従来型亜鉛給水システムの概略図である。
【図２】従来型亜鉛給水システムによって給水を流す方法を示す流れ図である。
【図３Ａ】実施形態例による下降流バスケットの上面概略図である。
【図３Ｂ】図３Ａに示す下降流バスケットの断面図である。
【図３Ｃ】図３Ｂに示す下降流バスケットの断面図である。
【図３Ｄ】図３Ａに示すｃ−ｃ’と図３Ｂに示すｚ−ｚ’からの垂直壁の正面図である。
【図４Ａ】実施形態例による下降流バスケット内の垂直壁内の網目のある穴の図である。
【図４Ｂ】実施形態例による下降流バスケット内の垂直壁内の網目のある穴の図である。
【図４Ｃ】実施形態例による下降流バスケット内の垂直壁内の網目のある穴の図である。
【図４Ｄ】実施形態例による下降流バスケット内の垂直壁内の開口穴の図である。
【図５】従来型流れバスケットを使用する従来型亜鉛給水システムを通る給水の流れパターンを示す図である。
【図６】実施形態例による下降流バスケットを使用する従来型亜鉛給水システムを通る給水の流れパターンを示す図である。
【図７】実施形態例による下降流バスケット内にペレットを再装荷する方法を示す図である。
【発明を実施するための形態】
【００１１】
次に実施形態例を、実施形態例が示される添付の図面を参照してより詳細に説明する。しかしながら、本発明は異なる形態で実施することができ、本明細書に記載された実施形態に限定されると見なすべきではない。そうではなく、これらの実施形態は、この開示が十分かつ完全であり、当業者に本発明の範囲全てを伝達するように提供される。図面では、構成部品のサイズは分かり易くするために誇張されている場合がある。
【００１２】
ある要素または層が別の要素または層「の上にある（ｏｎ）」、「に結合されている（ｃｏｎｎｅｃｔｅｄ  ｔｏ）」または、「に連結されている（ｃｏｕｐｌｅｄ  ｔｏ）」と述べられるとき、それは直接的に他の要素または層、あるいは存在する場合には介在する要素または層の上にある、結合されている、または連結され得ることが理解されるであろう。一方、ある要素が他の要素または層「の直接上に（ｄｉｒｅｃｔｌｙ  ｏｎ）」、「に直接結合されている（ｄｉｒｅｃｔｌｙ  ｃｏｎｎｅｃｔｅｄ  ｔｏ）」または、「に直接連結されている（ｄｉｒｅｃｔｌｙ  ｃｏｕｐｌｅｄ  ｔｏ）」と述べられるとき、介在する要素または層は全く存在しない。本明細書で使用されるとき、用語「および／または（ａｎｄ／ｏｒ）」は、関連して記載される項目の１つまたは複数の任意または全ての組み合わせを含む。
【００１３】
本明細書では第１の、第２の等の用語が様々な要素、構成部品、区域、層、および／または部分を説明するのに使用される場合があるが、これらの要素、構成部品、区域、層、および／または部分は、これらの用語によって限定されるべきではないことが理解されるであろう。これらの用語は、１つの要素、構成部品、区域、層、および／または部分を別の要素、構成部品、区域、層、および／または部分から区別するためにのみ使用される。したがって、以下で論じる第１の要素、構成部品、区域、層、または部分は、実施形態例の教示から逸脱することなく第２の要素、構成部品、区域、層、または部分と呼ぶことができる。
【００１４】
「下に（ｂｅｎｅａｔｈ）」、「下の（ｂｅｌｏｗ）」、「下側の（ｌｏｗｅｒ）」、「上方の（ａｂｏｖｅ）」、「上側の（ｕｐｐｅｒ）」などの空間的に相対的な用語は、図に示すような別の（１つまたは複数の）要素または（１つまたは複数の）機構に対する１つの要素または機構の関係を説明するための記載を容易にするために、本明細書で使用する場合がある。この空間的に相対的な用語は、図に描かれた向きに加えて使用または動作での機器の異なる向きを包含することを意図していることは理解されるであろう。例えば、図内の機器が反転された場合、他の要素または機構の「下の（ｂｅｌｏｗ）」または「下に（ｂｅｎｅａｔｈ）」と記載された要素は、そのとき他の要素または機構の「上方に（ａｂｏｖｅ）」向けられるであろう。したがって、例示的な用語「下の（ｂｅｌｏｗ）」は、上方および下の両方の向きを包含することができる。この機器は、その他の向きに（９０度回転したまたは他の向きに）向けることができ、本明細書で使用される空間的に相対的な記載語はそれに合わせて解釈することができる。
【００１５】
本明細書に記載する実施形態は、理想的な概略図による平面図および／または横断面図を参照する。したがって、この図は製造技術および／または許容範囲に応じて改変することができる。したがって、実施形態例は図に示されるものに限定されず、製造方法に基づいて形成される構成における改変を含む。したがって、図に例示する区域は概略的な性質を有し、図に示す区域の形状は要素の特定の形状または区域を例示し、実施形態例を限定しない。
【００１６】
次に実施形態例を、実施形態例を示す図３Ａ〜３Ｄ、４Ａ〜４Ｄ、６および７を参照してこの後より充分に説明する。しかしながら実施形態例は異なる形態で実施することができ、本明細書に記載された実施形態に限定されると見なすべきではない。そうではなく、実施形態例は、この開示が十分かつ完全であり、当業者に実施形態例の範囲を充分に伝達するであろうように提供される。本明細書を通して同様な番号は同様な要素を指示する。
【００１７】
実施形態例によるこの下降流バスケットは、底部１１０、および底部１１０に結合される少なくとも１つの垂直壁１１５を含むことができる。図３Ａ〜３Ｃに示すように、垂直壁１１５は垂直に向いており、かつ内側半径Ｒｉおよび外側半径Ｒｏを有する円筒形状の壁であることができる。この垂直壁１１５は、上側表面部分１０５および下側表面部分１６０を含むことができる。垂直壁１１５の上側表面部分１０５は、フランジ１０６を含むことができる。図３Ａ〜３Ｂに示すように、このフランジ１０６は、垂直壁１１５の外側半径Ｒｏと等しい内側半径と垂直壁１１５の外側半径Ｒｏより大きな外側半径Ｒｏ’とを有する比較的短い垂直に向いたかつ円筒形状のフランジであることができる。図３Ａに示すように、頂部フランジ１０６の中心線と垂直壁１１５の中心線は一致することができる。さらに、図３Ｂに示すように、フランジ１０６の頂部は垂直壁１１５の頂部と一致することができる。
【００１８】
下降流バスケットの底部１１０は、流体を垂直壁１１５に向け直すように様々な形態の形状にすることができる。図３Ｂを参照すると、下降流バスケットの底部１１０は、例えば円錐形状にすることができる。円錐形状の底部１１０の基部は、垂直壁１１５の底部と一致することができる垂直壁１１５の下側表面部分１６０に結合することができる。円錐形状の底部１１０の頂点は、下向きに向け、垂直壁１１５から離すことができ、かつこの頂点は、垂直壁１１５の中心線と一致させることができる。円錐形状の底部１１０の基部の外側半径は、実施形態例によれば、垂直壁１１５の外側半径Ｒｏと等しくすることができる。底部１１０の厚さは、垂直壁１１５の厚さと等しくすることができる。しかしながら、実施形態例はそれに限定されない。例えば、底部１１０の厚さは壁１１５の厚さより厚くすることができ、あるいは底部１１０の厚さは壁１１５の厚さより薄くすることができる。さらに、図３Ｂは円錐形状の底部を示すけれども、実施形態例はそれに限定されない。例えばこの底部は、半球、または楕円形または放物線の外形を有する幾何学的形状であることができ、あるいは平らであることができる。
【００１９】
この垂直壁１１５は、垂直壁１１５の頂部の近くに穴１２０を含むことができる。この穴１２０は、例えば図３Ｄに示すように、円形の穴または長方形穴であることができ、垂直壁１１５の周囲周りに対称的に配置することができる。しかしながら、この穴１２０はこれらの形状に限定されない。この穴は、給水が垂直壁１１５の外側から下降流バスケット１００の内側に通過できるように構成される。汚染物が下降流バスケット１００に入るのを防止するために、網目（図示せず）を穴の上に設けることができる。この網目は、垂直壁１１５の内側および／または垂直壁１１５の外側のいずれかの上に設けることができる。代替としてこの穴は、網目が壁と一体であるように構築することができる。網目のある穴および開いた穴の例を図４Ａ〜４Ｄに示す。
【００２０】
実施形態例によれば、下降流バスケット１００の内側に、亜鉛ペレット１２５を格納することができる。この亜鉛ペレットは、穴の開いた平板１３０によって垂直に支持し、垂直壁１１５によって水平に拘束することができる。穴の開いた平板を、下降流バスケット１００の内側で底部１１０の上方に位置決めすることができる。この穴の開いた平板１３０は、平板の厚さが垂直方向で位置合わせされ、平板の中心が垂直壁１１５の中心と位置合わせされるように、環状平板として形成することができる。環状の穴の開いた平板１３０の外側半径は、垂直壁１１５の内側半径Ｒｉと等しいかまたはより小さくすることができる。この環状の穴の開いた平板の内側半径は、（後で論じる）排出パイプ１４５の外径と等しいかまたはより大きくすることができる。穴の開いた平板１３０と底部１１０の間の空間は、穴の開いた平板１３０と底部１１０の間のプレナム１４０を構成する。
【００２１】
この穴の開いた平板１３０は、垂直壁１１５に取り付けかつ／または垂直壁１１５によって支持することができ、かつ／または垂直に向いた支持ブレース１３５によって支持することができる。この支持ブレース１３５は、下降流バスケットの垂直壁および／または底部１１０に取り付けることができ、かつ図３Ｃに示すよう下降流バスケットの中心の周りに対称的に配置することができる。図３Ｃは４つの対称的に配置されたブレース１３５を示すけれども、実施形態例はそれに限定されない。
【００２２】
支持ブレースの底部は、下降流バスケット１００の底部１１０によって支持することができ、底部１１０の輪郭に合致するように形成することができる。例えば、下降流バスケット１００の底部１１０が円錐形状である場合は、支持ブレース１３５の底部は円錐の角度に合致するように角度を付けることができる。しかしながら、実施形態例はそれに限定されない。例えば、支持ブレース１３５の底部は、下降流バスケット１００の底部１１０が曲線の外形を有する場合は、曲線の形状であることができる。図３Ｂに図示される支持ブレース１３５は中実に見えるが、この支持ブレースは流体が支持ブレース１３５の周りを流れる代わりに支持ブレース１３５を通過できるように、穴を含むことができる。
【００２３】
実施形態例によれば、この下降流バスケットは、図３Ｂに示すように下降流バスケットを貫通してプレナム１４０から上に延びる中央パイプ１４５も含むことができる。この中央パイプ１４５の外側半径は、図３Ｃに示すように環状の穴の開いた平板１３０の内側半径と等しいかまたはより小さくすることができる。中央パイプ１４５は、単一のパイプであってもよい。代替ではこの中央パイプは、上側流れチューブ１４５ａおよび下側流れチューブ１４５ｂから構成することができ、パイプインパイプ配置として一緒に保持することができる。
【００２４】
中央パイプ１４５は、支持ブレース１５０によって支持することができる。支持ブレース１５０は、垂直壁１１５の内側表面に取り付けることができ、かつ中央パイプ１４５に取り付けることができる。支持ブレース１５０は、図３Ａおよび３Ｂに示すようにパイプの周りに対称的に位置決めすることができる。中央パイプが下側流れチューブ１４５ｂおよび上側流れチューブ１４５ａを含む場合は、この下側流れチューブは支持ブレース１５０によって支持することができる。フィルタ１５５を下降流バスケット１００の頂部近くで中央パイプ内に配置することができる。追加のフィルタ（図示せず）を、中央パイプ１４５の底部近くに配置することもできる。
【００２５】
図５は、従来型流れバスケットを使用する亜鉛給水システム内の給水の流れを説明する。図５に示すように、給水はパイプ１５を通じて圧力容器１０内に供給される。圧力容器１０内への給水の流れＦ１は、圧力容器１０に入った後であるが穴の開いた平板２５ｂを通過する前に、パターンＦＣ２へと広がり、変化することができる。給水のこの流れは、穴の開いた平板２５ｂおよび亜鉛ペレット３０のベッドを通過することができ、かつパイプ２０を通って圧力容器を出ることができる。給水の流れが十分に少ない場合は、この亜鉛ペレットは定位置に留まることができ、水はペレット周りを流れることができる。しかしながら、この流れが十分に多い場合は、給水によってペレットに加えられる力はペレットを変位させ、互いに対して移動させる可能性がある。上記で説明したようにこの移動が、亜鉛ペレットを損傷させ粒子を原子炉に入らせ、それによって給水亜鉛制御に悪影響を与える可能性がある。
【００２６】
図６は、実施形態例による下降流バスケットを使用する亜鉛給水システムを通る給水の流れを説明する。上記のように、給水は一端で圧力容器に供給することができるが、しかしながら実施形態例では、この流れは下降流バスケットの底部１１０によって下降流バスケットの垂直壁１１５の外側に向け直される（図６参照、Ｆ１は圧力容器内への給水の方向に対するものである、図６参照、ＦＥ２は下降流バスケットの底部１１０によって垂直壁１１５に向け直されている水の流れに対するものである）。給水は、下降流バスケットの垂直壁１１５の外側に沿って、下降流バスケットの頂部に向かって流れることができる（図６参照、ＦＥ３）。下降流バスケットの頂部の近くで、給水は垂直壁１１５内の穴１２０を通過し下降流バスケット１００内に流れ込む（図６参照、ＦＥ４）。下降流バスケットの底部１１０のところで給水はプレナム１４０内に流れ込むことができ、それに応じて下降流バスケット内の給水は下向き方向に、亜鉛ペレット１２５のベッドを通り、穴の開いた平板１３０を通り、そしてプレナム１４０内に流れ込むことができる（図６参照、ＦＥ５）。プレナム内に入った後給水は、中央パイプ１４５の内側を上に流れることによって、下降流バスケットを出ることができる（図６参照、ＦＥ６およびＦＥ７）。
【００２７】
実施形態例によれば、下降流バスケット１００内での給水の方向が下向きに向けられているので、給水の流れは亜鉛ペレット１２５を穴の開いた平板１３０および垂直壁１１５に押し付ける。それに応じて、亜鉛ペレット１２５に対する水の力はペレット１２５を圧縮し、それらの流動化を減少または防止する。
【００２８】
従来型流れバスケットでは、亜鉛ペレットは圧力容器１２のカバーを取り外し、亜鉛ペレット３０を流れバスケット２５内に直接注ぎ入れることによって流れバスケット内に配置することができる。しかしながら実施形態例によれば、圧力容器カバー１２が取り外されるとき、下降流バスケット内の中央パイプ１４５が露出される可能性があるので、充填中ペレットが中央パイプ１４５に入らないように注意しなければならない。
【００２９】
図７を参照すると、実施形態例によるペレットを下降流バスケット内に装荷する方法は、中央パイプ１４５を封鎖するための封鎖具２００を設けることを含むことができる。実施形態例によれば、ペレットを下降流バスケット内に装荷する方法は、ペレットを封鎖された中央パイプ１４５の周りで下降流バスケット内に注ぎ込むことも含むことができる。実施形態例によれば、中央パイプを封鎖するために特殊な工具を使用することができる。この工具は、図７に示すようにペレットをバスケット内に案内するためのじょうご２０５を含むように構成することができる。
【００３０】
実施形態例によれば、下降流バスケットの形態は従来型流れバスケットのものと少なくとも内部的に異なるが、下降流バスケットのサイズは、従来型流れバスケットのものと同じようにすることができる。したがって、実施形態例による下降流バスケットは、従来型亜鉛給水システム内の従来型流れバスケットと交換するように構成することができる。例えば、従来型流れバスケットとともに使用される圧力容器は、従来型流れバスケットが中で対合する段付きフランジを有する。実施形態例によるこの下降流バスケット１００は、下降流バスケット１０５の上側表面部分が従来型圧力容器の段付きフランジと従来型流れバスケットと同じ方式で対合するように同様に構成することができる。したがって、この下降流バスケットは、既存システムを改良するために使用することができる。
【００３１】
この下降流バスケットは、従来型流れバスケットのものと同じ材料、例えばステンレス鋼から作ることができる。しかしながら、この下降流バスケットは、ガラス、プラスチック、セラミック、金属、または複合材料などの多くの材料から作ることができる。
【００３２】
実施形態例を、その実施形態例を参照して具体的に示しかつ説明してきたが、添付の特許請求の範囲の趣旨および範囲から逸脱することなく、形態および詳細での様々な変更をそれに行うことができることを当業者は理解するであろう。
【符号の説明】
【００３３】
５  給水システム
１０  圧力容器
１０ａ  圧力容器本体
１０ｂ  圧力容器フランジ
１２  カバー
１５  配管
２０  配管
２５  バスケット
２５ａ  垂直壁
２５ｂ  穴の開いた平板底部
３０  ペレット
１００  バスケット
１０５  上側表面部分
１０６  フランジ
１１０  底部
１１５  垂直壁
１２０  穴
１２５  ペレット
１３０  穴の開いた平板
１３５  支持ブレース
１４０  プレナム
１４５  中央パイプ
１４５ａ  上側流れチューブ
１４５ｂ  下側流れチューブ
１５０  支持ブレース
１５５  フィルタ
１６０  下側表面部分
２００  封鎖具
２０５  じょうご
【図１】
2010078601.tif 000003
【図２】
2010078601.tif 000004
【図３Ａ】
2010078601.tif 000005
【図３Ｂ】
2010078601.tif 000006
【図３Ｃ】
2010078601.tif 000007
【図３Ｄ】
2010078601.tif 000008
【図４Ａ】
2010078601.tif 000009
【図４Ｂ】
2010078601.tif 000010
【図４Ｃ】
2010078601.tif 000011
【図４Ｄ】
2010078601.tif 000012
【図５】
2010078601.tif 000013
【図６】
2010078601.tif 000014
【図７】
2010078601.tif 000015